(57)【要約】【課題】数の接続手段を備える画像形成装置において、ユーザが誤った接続を行うのを防止する仕組みを提供することを目的とする。【解決手段】画像形成手段と、外部機器と接続する複数の接続手段と、複数の接続手段それぞれに対応して設けられた複数の発光手段と、複数の接続手段のうち一の接続手段の選択指示を受け付けた場合に、選択指示に係る接続手段を識別可能に複数の発光手段の発光を制御する発光制御手段とを有する。【選択図】図３
2018176569.tif 000002
【特許請求の範囲】
【請求項１】
画像形成手段と、
外部機器と接続する複数の接続手段と、
前記複数の接続手段それぞれに対応して設けられた複数の発光手段と、
前記複数の接続手段のうち一の接続手段の選択指示を受け付けた場合に、前記選択指示に係る接続手段を識別可能に前記複数の発光手段の発光を制御する発光制御手段と
を有することを特徴とする画像形成装置。
【請求項２】
各発光手段は、それぞれ対応する前記接続手段に対応する位置に設けられていることを特徴とする請求項１に記載の画像形成装置。
【請求項３】
前記発光制御手段は、前記選択指示に係る接続手段に対応する発光手段を点灯させることを特徴とする請求項１又は２に記載の画像形成装置。
【請求項４】
前記発光制御手段は、前記選択指示に係る接続手段に対応する発光手段を第１の色で点灯させることを特徴とする請求項３に記載の画像形成装置。
【請求項５】
前記発光制御手段は、外部機器と接続中の接続手段に対応する前記発光手段を前記第１の色と異なる第２の色で点灯させることを特徴とする請求項４に記載の画像形成装置。
【請求項６】
前記選択指示を受け付けた場合に、前記発光手段の発光状態を示す案内画像を表示手段に表示するよう制御する表示制御手段をさらに有することを特徴とする請求項１乃至５の何れか１項に記載の画像形成装置。
【請求項７】
画像形成装置の制御方法であって、
外部機器と接続する複数の接続手段のうち一の接続手段の選択指示を受け付けた場合に、前記選択指示に係る接続手段を識別可能に、前記複数の接続手段それぞれに対応して設けられた複数の発光手段の発光を制御する発光制御ステップを含むことを特徴とする画像形成装置の制御方法。
【請求項８】
コンピュータを、請求項７に記載の画像形成装置の制御方法のステップを実行させるためのプログラム。
【発明の詳細な説明】
【技術分野】
【０００１】
本発明は、画像形成装置、画像形成装置の制御方法及びプログラムに関する。
【背景技術】
【０００２】
従来、オフィス等において、コピー、プリント、スキャン、ファクシミリ、ネットワークなどの機能を有する複合機のネットワーク機能を用いた大規模なプリンタシステムが構築されている。このように、複合機におけるネットワーク機能の使い方が多様化してきている。また、ネットワーク機能はセキュリティとも密接な関係があり、例えば、高度なセキュリティソリューションが必要なオフィス環境において、社内用社外用それぞれのネットワークを共存させる場合がある。これに対し、特許文献１には、複数のネットワークインターフェースを備える画像形成装置が開示されている。
【先行技術文献】
【特許文献】
【０００３】
【特許文献１】特開２０１１−８２５９９号公報
【発明の概要】
【発明が解決しようとする課題】
【０００４】
しかしながら、ネットワークインターフェースの形状は同一の場合が多い。このため、複数のネットワークインターフェースを備える画像形成装置において、ユーザがネットワークインターフェースにネットワークケーブルの接続を行う際に、どのポートに接続するかを判断できない場合があった。さらに、誤った接続を行い、ネットワークインターフェースの誤接続が生じる可能性があるという問題があった。
【０００５】
本発明はこのような問題点に鑑みなされたもので、複数の接続手段を備える画像形成装置において、ユーザが誤った接続を行うのを防止する仕組みを提供することを目的とする。
【課題を解決するための手段】
【０００６】
そこで、本発明は、画像形成装置であって、画像形成手段と、外部機器と接続する複数の接続手段と、前記複数の接続手段それぞれに対応して設けられた複数の発光手段と、前記複数の接続手段のうち一の接続手段の選択指示を受け付けた場合に、前記選択指示に係る接続手段を識別可能に前記複数の発光手段の発光を制御する発光制御手段とを有することを特徴とする。
【発明の効果】
【０００７】
本発明によれば、数の接続手段を備える画像形成装置において、ユーザが誤った接続を行うのを防止する仕組みを提供することができる。
【図面の簡単な説明】
【０００８】
【図１】画像形成システムを示す図である。
【図２】画像形成装置を示す図である。
【図３】画像形成装置の主要部の構成図である。
【図４】コネクタ及びＬＥＤの外観図である。
【図５】ネットワークの接続制御処理を示すフローチャートである。
【図６】設定画面の一例を示す図である。
【図７】操作画面の一例を示す図である。
【図８】第２の実施形態の主要部の構成図である。
【図９】第２の実施形態に係る接続制御処理を示すフローチャートである。
【図１０】第２の実施形態に係る設定画面の一例を示す図である。
【図１１】確認画面の一例を示す図である。
【発明を実施するための形態】
【０００９】
以下、本発明の実施形態について図面に基づいて説明する。
（第１の実施形態）
図１は、画像形成システムを示す図である。画像形成装置１００は、複数のネットワークインターフェースを備え、ネットワークケーブルを介して、複数のネットワーク網１１０，１２０と接続することが可能である。ネットワーク網１１０には、複数のＰＣ１１１とデバイス１１２が接続され、ネットワーク網１２０には、複数のＰＣ１２１とデバイス１２２が接続されている。画像形成装置１００は、ネットワーク網１１０を介してＰＣ１１１及びデバイス１１２との通信が可能となる。画像形成装置１００はまた、ネットワーク網１２０を介してＰＣ１２１及びデバイス１２２との通信が可能となる。ネットワーク網１１０，１２０は、それぞれ例えば社内ＬＡＮと、インターネット網を形成する。このように、本実施形態の画像形成装置１００は、複数のネットワークインターフェースを備えることにより、複数のネットワーク網との接続が可能となる。
【００１０】
図２は、画像形成装置１００を示す図である。画像形成装置１００において、コントローラ部２０１は、後出のスキャナ部２０３で読み取った画像データの処理を行う。プリンタ部２０４は、画像形成処理等を行う。ネットワーク部２０２は、複数のネットワークインターフェースを備え、クライアントＰＣ等の外部装置とのデータの送受信の制御等を行う。スキャナ部２０３は、原稿画像を読み取り、読み取った画像データの生成等を行う。ファクシミリ部２０７は、ファクシミリ回線により接続されたファクシミリ装置とのデータの送受信の制御等を行う。
【００１１】
記憶部２０６は、ハードディスクドライブ等で構成されており、スキャナ部２０３で読み取った画像データや印刷データの格納など、様々なデータの格納に使用する。操作部２０５は不図示のオペレーションパネルを制御し、各種情報の表示、使用者からの指示入力を行う。電源部２０８は画像形成装置の電源を供給するため、コンセントからの交流電源を画像形成装置１００内部で使用する直流電源等への変換を行う。これら構成部は内部バス２０９によって、コントローラ部２０１からの制御信号や各装置間のデータ信号が送受信される装置となる。
【００１２】
図３は、画像形成装置１００のコントローラ部２０１、ネットワーク部２０２及び操作部２０５の詳細な構成を示す図である。コントローラ部２０１は、ＣＰＵ３０１及びポート制御ＩＣ３０２を有している。ＣＰＵ３０１は、コントローラ部２０１の制御を行い、画像形成装置１００の制御を司る。ポート制御ＩＣ３０２は、画像形成装置１００の電源制御のＯＮ／ＯＦＦ指示及び各種ＩＦの設定を行う。ネットワーク部２０２は、第１ＬＡＮコントローラ（第１ＬＡＮＣ）３１１と、第１コネクタ３２１と、第１ＬＥＤ３３１と、第１セレクタ３４１と、を有している。ネットワーク部２０２はまた、第２ＬＡＮコントローラ（第２ＬＡＮＣ）３２１と、第２コネクタ３２２と、第２ＬＥＤ３３２と、第２セレクタ３４２と、を有している。
【００１３】
第１ＬＡＮＣ３１１は、複数のネットワークインターフェースのうちの１つのネットワークコントローラである。そして、第１コネクタ３２１は、第１ＬＡＮＣ３１１と外部機器と実際のネットワーク接続を行う。画像形成装置１００は、第１コネクタ３２１にネットワークケーブルが接続されることにより、第１コネクタ３２１を経由して外部装置と通信を行うことが可能となる。第１ＬＥＤは、その点灯消灯により第１コネクタ３２１を介した通信の状態等を示す。
【００１４】
第１セレクタ３４１は、第１ＬＥＤ３３１の点灯制御に関して、第１ＬＡＮＣ３１１による点灯か、ポート制御ＩＣ３０２による点灯かを選択することが可能である。第１ＬＥＤ３３１の点灯に関して、第１ＬＡＮＣ３１１が通信等の状態を示す場合、第１ＬＡＮＣ３１１のＬＥＤ通信ポートが制御を行い、ポート信号がＬｏｗレベルの場合は、消灯となる。そして、第１ＬＡＮＣ３１１が通信時に信号をＨｉレベルに変更することによりＬＥＤの点灯が行われる。
【００１５】
また、第２ＬＡＮＣ３１２は、複数のネットワークインターフェースのうちの１つのネットワークコントローラである。そして、第２コネクタ３２２は、第２ＬＡＮＣ３１２の接続先となる。画像形成装置１００は、第２コネクタ３２２にネットワークケーブルが接続されることにより、第２コネクタ３２２を経由して外部装置と通信を行うことが可能となる。第２ＬＥＤ３３２は、その点灯消灯により第２コネクタ３２２を介した通信の状態等を示す。第２セレクタ３４２は、第１セレクタ３４１と同様に、第２ＬＥＤ３３２の点灯制御に関して、第２ＬＡＮＣ３１２による点灯か、ポート制御ＩＣ３０２による点灯かを選択することが可能である。第１コネクタ３２１及び第２コネクタ３２２は、いずれも接続部の一例である。また、第１ＬＥＤ３３１及び第２ＬＥＤ３３２は、いずれも発光部の一例である。
【００１６】
操作部２０５は、操作部ＣＰＵ３５１と、表示制御ＩＣ３５２と、ＬＣＤ３５３と、を有している。操作部ＣＰＵ３５１は、ポート制御ＩＣ３０２やＬＣＤ３５３との通信、制御を行う。表示制御ＩＣ３５２は、各種情報をＬＣＤ３５３に表示するための画像表示制御を行う。
【００１７】
図４は、第１コネクタ３２１、第２コネクタ３２２、第１ＬＥＤ３３１、第２ＬＥＤ３３２の外観図である。第１コネクタ３２１及び第２コネクタ３２２は、縦に並んで設けられている。さらに、第１ＬＥＤ３３１及び第２ＬＥＤ３３２は、それぞれ対応するコネクタである第１コネクタ３２１及び第２コネクタ３２２に隣接する位置に設けられている。第１コネクタ３２１及び第２コネクタ３２２は、異なるネットワーク網に接続されるが図４に示すように同じ形状であるため、ユーザは外観で第１コネクタ３２１と第２コネクタ３２２を区別するのが難しい。そこで、本実施形態の画像形成装置１００は、第１ＬＥＤ３３１及び第２ＬＥＤ３３２の点灯消灯を制御することにより、ユーザに対しコネクタを示す。以下、そのための処理について説明する。
【００１８】
図５は、画像形成装置１００によるネットワークの接続制御処理を示すフローチャートである。なお、接続制御処理の開始前の時点で、第１ＬＥＤ３３１及び第２ＬＥＤ３３２は、いずれも消灯しているものとする。本処理は、ＣＰＵ３０１が、記憶部２０６に格納されているプログラムを読み出し、このプログラムを実行することにより実現されるものである。本処理は、例えば、ユーザが画像形成装置１００を設置する際に実行される処理である。
【００１９】
画像形成装置１００のスイッチＯＮ操作が行われると、Ｓ５０１において、ＣＰＵ３０１は、起動シーケンスを開始する制御を行う。次に、Ｓ５０２において、ＣＰＵ３０１は、初期設定に従い、画像形成装置１００の初期状態となるスタンバイ状態にセットする。次に、Ｓ５０３において、ＣＰＵ３０１は、ユーザ操作に応じて、ネットワーク設定の選択指示を受け付けたか否かを判定する。ＣＰＵ３０１は、選択指示を受け付けた場合には（Ｓ５０３でＹｅｓ）、処理をＳ５０４へ進める。ＣＰＵ３０１は、選択指示を受け付けない状態で所定時間が経過した場合には（Ｓ５０３でＮｏ）、処理をＳ５０２へ進める。
【００２０】
Ｓ５０４において、ＣＰＵ３０１は、操作部２０５のＬＣＤ３５３に設定画面を表示するよう制御する。図６は、設定画面の一例を示す図である。設定画面６００は、ユーザが、ネットワークの設定に係る情報を入力するための画面である。設定画面６００には、第１コネクタ３２１及び第２コネクタ３２２に対応したネットワークポートを示すボタン６１１，６１２が表示されている。ポート名称設定欄６２１，６２２は、各ポートのポート名称の入力欄である。ＩＰアドレス設定欄６３１，６３２は、各ポートのＩＰアドレスの入力欄である。図６の例では、ポート名称設定欄６２１，６２２及びＩＰアドレス設定欄６３１，６３２にはそれぞれポート名称及びＩＰアドレスが設定されている。設定前の状態においては、ポート名称設定欄６２１，６２２及びＩＰアドレス設定欄６３１，６３２は、いずれも空欄になる。
【００２１】
ネットワークの設置を決めている場合には、設定画面６００において、サービス担当者は、事前にポート名称及びＩＰアドレスを登録する場合がある。例えば、図６のように、ポート名称設定欄６２１，６２２にそれぞれ社内ＬＡＮ及びインターネットを登録することにより、ポート名を設定する。また他の例としては、ＣＰＵ３０１は、ネットワーク接続によりＬＡＮコントローラで読み出した値を、ＩＰアドレスとして表示してもよい。ユーザは、設定画面６００のポート名称やＩＰアドレスにより、ポート１とポート２を識別することができる。
【００２２】
図５に戻り、Ｓ５０４の処理の後、Ｓ５０５において、ＣＰＵ３０１は、ポートの選択指示を受け付けると（Ｓ５０５でＹｅｓ）、処理をＳ５０６へ進める。ＣＰＵ３０１は、選択指示を受け付けない状態で所定時間が経過した場合には（Ｓ５０５でＮｏ）、処理をＳ５０２へ進める。ＣＰＵ３０１は、ユーザがポート１のボタン６１１を押下すると、操作部ＣＰＵ３５１を介してポート１の選択指示を受け付け、ポート２のボタン６１２を押下するとポート２の選択指示を受け付ける。
【００２３】
Ｓ５０６において、ＣＰＵ３０１は、選択指示に係るポートに対応したＬＥＤ（第１ＬＥＤ３３１又は第２ＬＥＤ３３２）を点灯するよう制御する。なお、ＣＰＵ３０１は、選択指示に係るポート以外のポートに対応したＬＥＤは消灯状態のままとする。具体的には、ＣＰＵ３０１は、ポート１に対応する第１ＬＥＤ３３１を光らせるために、第１ＬＥＤ３３１に対応するポートレジスタにＨｉレベルの設定を行う。前述のように、３１２はＬＥＤセレクタであり、第１ＬＥＤ３３１の点灯制御に関して、第１ＬＡＮＣ３１１による点灯か、ポート制御ＩＣ３０２による点灯かの選択制御を行う。第１ＬＥＤ３３１に対応するポート制御ＩＣ３０２のポートレジスタがＬＥＤ制御の選択信号になっており、初期値Ｌｏｗレベルのときには、第１ＬＥＤ３３１が消灯する。ポート１のボタン６１１が押下されることに応じて、信号がＬｏｗレベルからＨｉレベルへ切り変わることにより、ＬＥＤセレクタ３１２において、ポート制御ＩＣ３０２による点灯が選択され、第１ＬＥＤ３３１が点灯する。
【００２４】
これにより、図４に示すように、第１ＬＥＤ３３１が点灯する。これにより、ユーザは、自身が選択したポートが第１ＬＥＤ３３１に隣接する第１コネクタ３２１であることを容易に把握することができる。なお、Ｓ５０６の処理は、発光制御処理の一例である。
【００２５】
次に、Ｓ５０７において、ＣＰＵ３０１は、操作画面を表示するよう制御する。ここで、操作画面は、ユーザ操作のガイダンス画面である。図７は、操作画面の一例を示す図である。図７に示す操作画面７００においては、ポート１が選択されたことに伴い、ポート１を示すアイコン７１１がポート２を示すアイコン７１２と異なる色で表示されている。さらに各ポートのアイコン７１１，７１２の下には、対応するＩＰアドレス７２１，７２２が表示されている。これにより、ユーザは、自身が選択したポートを確認することができる。
【００２６】
さらに、操作画面７００には、ポート１及びポート２に対応した第１コネクタ３２１、第２コネクタ３２２、第１ＬＥＤ３３１及び第２ＬＥＤ３３２の外観画像７３０が表示されている。外観画像７３０において、ＬＥＤの発光状態が示されている。したがって、ユーザは、外観画像７３０と、実際のＬＥＤの点灯とを確認することにより、ネットワークケーブルを接続すべきコネクタを容易に特定することができる。ここで、操作画面は、案内画像の一例である。ユーザは、この時点で、自身が選択したポートに対応するコネクタにネットワークケーブルを接続する。本例においては、ユーザは、ポート１に対応する第１コネクタ３２１にネットワークケーブルを接続する。図５に戻り、Ｓ５０７の処理の後、Ｓ５０８において、ＣＰＵ３０１は、ユーザによるコネクタの接続が行われると、このケーブル接続により、ＣＰＵ３０１は、ネットワークとの接続の検知を行い、その後処理を終了する。
【００２７】
以上のように、第１の実施形態に係る画像形成システムにおいては、ユーザは自身が選択したポートに対応するコネクタの位置を容易に特定することができる。すなわち、本実施形態に係る画像形成装置１００は、接続部としてのコネクタを複数備え、ユーザが誤った接続部への接続を行うのを防止する仕組みを提供することができる。
【００２８】
なお、第１の実施形態の第１の変形例としては、第１ＬＥＤ３３１及び第２ＬＥＤ３３２の設置位置は実施形態に限定されるものではなない。第１ＬＥＤ３３１及び第２ＬＥＤ３３２は、第１ＬＥＤ３３１と第１コネクタ３２１の対応関係と、第２ＬＥＤ３３２と第２コネクタ３２２の対応関係をユーザが確認できるよう設けられていればよい。
【００２９】
また、第２の変形例としては、画像形成装置１００は、選択されたコネクタと選択されたコネクタ以外の他のコネクタを識別可能となるようにＬＥＤを制御すればよく、そのための処理は実施形態に限定されるものではない。他の例としては、画像形成装置１００は、選択指示に係るコネクタに対応するＬＥＤを消灯し、他のコネクタに対応するＬＥＤを点灯させてもよい。また、第２の実施形態において説明するように、１つのコネクタに対し複数色のＬＥＤを点灯可能な場合には、画像形成装置１００は、選択指示に係るコネクタに対応するＬＥＤと他のコネクタに対応するＬＥＤを異なる色で点灯するよう制御してもよい。
【００３０】
（第２の実施形態）
次に、第２の実施形態に係る画像形成システムについて、第１の実施形態に係る画像形成システムと異なる点について説明する。図８は、第２の実施形態の画像形成装置１００のコントローラ部２０１、ネットワーク部２０２及び操作部２０５の詳細な構成を示す図である。ネットワーク部８００は、第１ＬＡＮＣ３１１と、第１コネクタ３２１と、第１確認用ＬＥＤ８０１と、第１リンク用ＬＥＤ８１１と、第１セレクタ８２１と、を有している。ネットワーク部８００はまた、第２ＬＡＮＣ３１２と、第２コネクタ３２２と、第２確認用ＬＥＤ８０２と、第２リンク用ＬＥＤ８１２と、第２セレクタ８２２と、を有している。
【００３１】
第１セレクタ８２１は、第１ＬＡＮＣ３１１による点灯か、ポート制御ＩＣ３０２による点灯かを選択するのに加えて、第１確認用ＬＥＤ８０１と第１リンク用ＬＥＤ８１１を選択する。第２セレクタ８２２は、第２ＬＡＮＣ３１１による点灯か、ポート制御ＩＣ３０２による点灯かを選択するのに加えて、第２確認用ＬＥＤ８０２と第２リンク用ＬＥＤ８１２を選択する。
【００３２】
図９は、第２の実施形態に係る画像形成装置１００による接続制御処理を示すフローチャートである。なお、図８に示す接続制御処理の各処理のうち、図５を参照しつつ説明した第１の実施形態に係る接続制御処理の各処理と同一の処理には、同一の番号を付している。ＣＰＵ３０１は、Ｓ５０３で選択指示を受け付けた場合には（Ｓ５０３でＹｅｓ）、処理をＳ９０１へ進める。Ｓ９０１において、ＣＰＵ３０１は、ネットワークケーブルの接続検知を行う。具体的には、第１ＬＡＮＣ３１１及び第２ＬＡＮＣ３１２がネットワーク環境に接続中か否かの判断を行う。ＣＰＵ３０１は、ネットワーク接続中の場合には（Ｓ９０１でＹｅｓ）、処理をＳ９０２へ進める。ＣＰＵ３０１は、ネットワーク接続中でない場合には（Ｓ９０１でＮｏ）、処理をＳ９０３へ進める。
【００３３】
Ｓ９０２において、ＣＰＵ３０１は、既にネットワークケーブルが接続されているコネクタに対応するＬＥＤを点灯するよう制御する。例えば、第１コネクタ３２１にネットワークケーブルが接続されている場合には、ＣＰＵ３０１は、第１コネクタ３２１に対応した第１リンク用ＬＥＤ８１１を点灯するよう制御する。これにより、第１コネクタ３２１に隣接する第１リンク用ＬＥＤ８１１が点灯する。なお、第１リンク用ＬＥＤ８１１の色は緑色である。Ｓ９０２におけるコントローラ部２０１の第１セレクタ３４１の制御に関して、ポート制御ＩＣ３０２の制御を行わないため、ポート制御ＩＣ３０２のポートレジスタはＬｏｗに設定されている。このとき、第１セレクタ８２１は第１ＬＡＮＣ３１１による点灯を選択することになり、第１リンク用ＬＥＤ８１１を選択する。第１ＬＡＮＣ３１１のＬＥＤポート制御により、Ｈｉレベルを設定することにより、第１リンク用ＬＥＤ８１１が点灯することになる。同様にして、第２ＬＡＮＣ３１２及び第２セレクタ８２２の制御により、ＬＥＤポート制御により、Ｈｉレベルを設定することにより、第２リンク用ＬＥＤ８１２が点灯することになる。
【００３４】
Ｓ９０２の処理の後、処理をＳ９０３へ進める。Ｓ９０３において、ＣＰＵ３０１は、設定画面を表示するよう制御する。図１０は、第２の実施形態に係る設定画面の一例を示す図である。第２の実施形態に係る設定画面１０００は、第１の実施形態に係る設定画面６００と同様に、ユーザがネットワークの設定に係る情報を入力するための画面である。設定画面１０００には、設定画面６００と同様に、ポート１、ポート２のボタン１０１１，１０１２が表示されている。さらに、ポート名称設定欄１０２１，１０２２、ＩＰアドレス設定欄１０３１，１０３２が表示されている。
【００３５】
本実施形態においては、ＣＰＵ３０１は、ボタン１０１１，１０１２の背景色を白からグレーに変える。これにより、対応するコネクタにネットワークケーブルが接続済みであることを示すことができる。なお、ネットワークケーブルの接続がない場合には、ボタン１０１１，１０１２の背景色は白色とする。図１０の例では、第１コネクタ３２１及び第２コネクタ３２２のいずれにもネットワークケーブルが接続されていることに対応し、ボタン１０１１，１０１２はいずれも背景色がグレーに変更されている。このとき、第１コネクタ３２１及び第２コネクタ３２２にネットワークケーブルが接続されていることに対応し、第１リンク用ＬＥＤ８１１及び第２リンク用ＬＥＤ８１２は、いずれも緑色に点灯している。
【００３６】
次に、Ｓ９０４において、ＣＰＵ３０１は、ポートの選択指示を受け付けると（Ｓ９０４でＹｅｓ）、処理をＳ９０５へ進める。ＣＰＵ３０１は、選択指示を受け付けない状態で所定時間が経過した場合には（Ｓ９０４でＮｏ）、処理をＳ５０２へ進める。ユーザがポートを確認するためにポートのボタン１０１１，１０１２を押下すると、ＣＰＵ３０１は、ポートの選択指示を受け付ける。Ｓ９０５において、ＣＰＵ３０１は、選択指示に係るポートに対応した、確認用ＬＥＤを点灯するよう制御する。例えば、選択指示に係るポートがポート１であるとする。この場合、ＣＰＵ３０１は、ポート１に対応する第１コネクタ３２１に対応した、第１確認用ＬＥＤ８０１を点灯するよう制御する。これにより、第１確認用ＬＥＤ８０１が赤色に点灯する。
【００３７】
ポート１のボタン１０１１が押下されると、コントローラ部２０１は画像形成装置１００の操作部２０５のＬＣＤ３５３に搭載される不図示のタッチセンサが押される反応を検知し、その検知情報が操作部ＣＰＵ３５１へ伝えられる。操作部ＣＰＵ３５１は、ポート１の検知情報をコントローラ部２０１のＣＰＵ３０１へ伝える。ポート制御ＩＣ３０２は、ＣＰＵ３０１のポートの制御を行っており、ポート１に対応するＬＥＤを光らせるために、ポート１に対応するレジスタ情報をＨｉに変更する。第１コネクタ３２１には、ポート１に対応する第１確認用ＬＥＤ８０１と、第１ＬＡＮＣ３１１に対応する第１リンク用ＬＥＤ８１１の２つが搭載されており、第１セレクタ８２１が点灯制御を行っている。この第１セレクタ８２１は、ポート１に対応するレジスタ情報を第１確認用ＬＥＤ８０１と第１リンク用ＬＥＤ８１１の切り替え制御に用いており、ポート１がデフォルト値のＬｏｗレベルの場合、第１リンク用ＬＥＤ８１１を選択する。ポート１に対応するレジスタ情報がＨｉに変更になると、ポート１に対応する第１確認用ＬＥＤ８０１が選択され、点灯状態となる。
【００３８】
次に、Ｓ９０６において、ＣＰＵ３０１は、確認画面を表示するよう制御する。ここで、確認画面は、ユーザによるポートの確認をサポートする画面である。図１１は、確認画面の一例を示す図である。図１１に示す確認画面１１００は、ユーザによりポート１が選択された場合に対応する。この場合、ポート１のアイコン１１０１は、選択されていないポート２のアイコン１１０２と異なる色で表示されている。さらに、確認画面１１００には、ポート１及びポート２に対応した第１コネクタ３２１、第２コネクタ３２２、第１確認用ＬＥＤ８０１及び第２確認用ＬＥＤ８０２の外観画像１１３０が表示されている。さらに、外観画像１１３０の横に「赤色に点灯しているコネクタを確認後、ＯＫボタンを押してください」というメッセージが表示されている。
【００３９】
ユーザは、これらの表示に従い、ネットワーク接続状態における点灯色が緑色（ネットワーク接続状態）から赤色に変化しているＬＥＤを確認すればよい。このように、第２の実施形態に係る画像形成システムにおいては、ユーザは自身が選択したポートに対応するコネクタの位置を容易に特定することができる。すなわち、第２の実施形態においても、画像形成システムは、複数の接続手段を備える画像形成装置において、ユーザが誤った接続を行うのを防止する仕組みを提供することができる。なお、第２の実施形態に係る画像形成システムのこれ以外の構成及び処理は、第１の実施形態に係る画像形成システムの構成及び処理と同様である。
【００４０】
以上、本発明の好ましい実施形態について詳述したが、本発明は係る特定の実施形態に限定されるものではなく、特許請求の範囲に記載された本発明の要旨の範囲内において、種々の変形・変更が可能である。
【００４１】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４２】
１００  画像形成装置
２０１  コントローラ部
３２１  第１コネクタ
３２２  第２コネクタ
３３１  第１ＬＥＤ
３３２  第２ＬＥＤ
【図１】
2018176569.tif 000003
【図２】
2018176569.tif 000004
【図３】
2018176569.tif 000005
【図４】
2018176569.tif 000006
【図５】
2018176569.tif 000007
【図６】
2018176569.tif 000008
【図７】
2018176569.tif 000009
【図８】
2018176569.tif 000010
【図９】
2018176569.tif 000011
【図１０】
2018176569.tif 000012
【図１１】
2018176569.tif 000013